(57)【要約】【課題】  自宅の風呂で気軽にサウナに類似する美容効果を得ることができる風呂蓋を提供する。【解決手段】  本考案の風呂蓋は、風呂の上部に配置されるものであって、前記風呂蓋を前記風呂の上部に設置した状態で、当該風呂に入浴中の人が首を出せるように前記風呂蓋の端部に設けられた首開口部と、前記首開口部を開閉可能に前記風呂蓋に取り付けられた首開口蓋と、を有している。また、本考案の風呂蓋は、当該風呂に入浴中の人が手を出せるように前記風呂蓋に設けられた手開口部と、前記手開口部を開閉可能に前記風呂蓋に取り付けられた手開口蓋とを有していることが好ましい。【選択図】  図１
0003223358.tif 000002
【実用新案登録請求の範囲】
【請求項１】
風呂の上部に配置される風呂蓋であって、
前記風呂蓋を前記風呂の上部に設置した状態で、当該風呂に入浴中の人が首を出せるように前記風呂蓋の端部に設けられた首開口部と、
前記首開口部を開閉可能に前記風呂蓋に取り付けられた開口蓋と、を有する風呂蓋。
【請求項２】
前記風呂蓋は、当該風呂に入浴中の人が手を出せるように前記風呂蓋に設けられた手開口部と、前記手開口部を開閉可能に前記風呂蓋に取り付けられた手開口蓋と、を有する請求項１に記載の風呂蓋。
【考案の詳細な説明】
【技術分野】
【０００１】
本考案は、風呂蓋に関し、より詳細には、自宅のお風呂で気軽にサウナに類似する美容効果を得ることができる風呂蓋に関する。
【背景技術】
【０００２】
従来から一般的に、風呂にお湯を張ったときには、そのお湯が冷めないようにするために、風呂の上部に風呂蓋を設置することが行われている。ここで用いられる風呂蓋としては、断熱性に優れた材質のものが利用されている。このような風呂蓋を用いることで、風呂のお湯の冷却速度を遅くすることができ、長期間に亘って温かいお風呂を楽しむことができる。従来から一般に用いられる風呂蓋としては、特開２０１７−０００３１５号公報（特許文献１）に開示のものがある。
【０００３】
図７は、特許文献１に開示の風呂蓋の具体例を示す斜視図である。特許文献１に開示の風呂蓋は、図７に示すように、蓋内部空間に充填された硬質の発泡体に裏面が接着された第１面材と、該第１面材の表面に周端縁部のみを固着して中間域を非接着状態で重ね合わせた第２面材とを備えたことを特徴としている。このような風呂蓋を用いることにより、表面の外観を長期にわたって平坦面状に保つことができるという利点がある。
【０００４】
ところで、近年、女性を中心に、血行促進効果や老廃物の排出効果などが期待されるサウナが注目を集めている。サウナに入ることで体温が上がり、心身の緊張をほぐす副交感神経を活性化させることができる。また、サウナの効用として、酸化ストレス（酸化反応と抗酸化反応のバランスが崩れ、酸化反応が生体に悪影響を及ぼしている状態）を減少させることも期待されている。サウナを通じて汗をかくことで毛穴が開けば、血行も良くなり代謝を上げることができる。
【先行技術文献】
【特許文献】
【０００５】
【特許文献１】特開２０１７−０００３１５号公報
【考案の概要】
【考案が解決しようとする課題】
【０００６】
サウナは、温泉施設などの設備の一つとして設けられているが、一般家庭で気軽に導入できるものではない。このため、一般家庭でサウナに類似する効果が得られる入浴方式として半身浴が注目を集めている。しかしながら、半身浴を長時間に亘って継続すると、風呂のお湯が冷めてしまうので、家庭の風呂ではサウナに類似する効果が得られなかった。
【０００７】
本考案は、上記の問題を解決するためになされたものであり、その目的とするところは、家庭でも気軽にサウナに類似する美容効果が得られる風呂蓋を提供するところにある。
【課題を解決するための手段】
【０００８】
上記目的を達成するために、本考案の風呂蓋は、風呂の上部に配置されるものであって、前記風呂蓋を前記風呂の上部に設置した状態で、当該風呂に入浴中の人が首を出せるように前記風呂蓋の端部に設けられた首開口部と、前記首開口部を開閉可能に前記風呂蓋に取り付けられた首開口蓋と、を有することを特徴としている。
【０００９】
このように風呂蓋に首開口部を設けることによって、首開口部を通じて入浴中に首だけを風呂蓋の上部に出すことができる。これにより風呂の上部に風呂蓋を置いた状態のまま入浴することができるようになるので、風呂の熱気が風呂蓋によって外部に逃げにくくすることができ、以って風呂のお湯を長時間冷めにくくすることができる。特に外気の気温が低い冬場には、本考案の風呂蓋を用いることで、冷気が風呂の内部に入り込むことを防ぐことができ、冬場でも温かいお風呂を楽しむことができる。またこのような構造の風呂蓋を用いることによって風呂のお湯と風呂蓋との間の空間に熱気が籠もるので、当該空間にサウナに類似する熱気が充満し、サウナに類似する美容効果を得ることができる。
【００１０】
しかも、首開口部を閉じることができる首開口蓋が設けられているので、風呂に誰も入らないときにはこの首開口蓋を首開口部に嵌め込むことによって、風呂の外気が風呂の内部に流入することを防止することができる。これにより風呂に人が入っていない状態のときにも、従来の風呂蓋と同等の断熱効果を得ることができる。
【００１１】
また、近年、加速度的に高齢化が進む日本において、高齢者が入浴中に寝落ちして風呂で溺死することが懸念されているが、本考案の風呂蓋を用いることで、仮に入浴中に寝落ちしても頭が風呂蓋で止まって風呂の内部に入らないようにすることができる。これにより高齢者の入浴中の事故を防止することも可能となる。
【００１２】
さらに、この風呂蓋を用いて入浴をすることで、浴槽に入りながら体を洗った場合にも水しぶきが風呂蓋の外に飛散することを防止することができる。特に介護用の風呂を利用する場合には、居間やリビングに持ち運びできる風呂を設置した上で要介護者が入浴することになるが、本考案の風呂蓋を用いることで、居間やリビングに水しぶきが落ちることを効果的に防止することが可能となる。また本考案の風呂蓋を用いることによって、風呂の湯気が居間やリビングに拡散することを防ぐことができる。これにより室内の湿度が過剰に高まることを抑制することが可能となる。
【００１３】
しかも、要介護者の入浴においては、要介護者は全裸の状態で介護士に入浴を補助してもらうことになるが、本考案の風呂蓋を用いることで、要介護者の入浴中に自身の全裸の状態を介護士に見られなくなるので落ち着いて入浴することができる可能性もある。これらの効果と上記の入浴中の保温効果が相まって、要介護者の入浴においては特に冬場でも温かいお風呂を楽しむことができ、しかも風呂の外部から内部の様子が見られずに入浴することができる。
【００１４】
上記風呂蓋は、当該風呂に入浴中の人が手を出せるように前記風呂蓋に設けられた手開口部と、前記手開口部を開閉可能に前記風呂蓋に取り付けられた手開口蓋と、を有することが好ましい。
【００１５】
このように風呂蓋に手開口蓋を設けることで、手開口蓋を通じて入浴中に手を風呂蓋の上部に出すことができる。これにより入浴中に両手を風呂蓋の上において読書できるようになり、長時間の半身浴をさらに快適に楽しむことができる。しかも、手開口部に手開口蓋を嵌め込むことによって手開口部を閉じることができ、風呂の外気が風呂の内部に流入することを防止することができる。これにより、半身浴中に読書をしたくないときには、手開口部に手開口蓋を嵌め込むことで風呂の湯が冷めることを防止することができる。
【図面の簡単な説明】
【００１６】
【図１】本考案の風呂蓋の概略を示す斜視図である。
【図２】図１の風呂蓋を折り曲げた状態の斜視図である。
【図３】図１の風呂蓋の首開口部と手開口部とを開けた状態の斜視図である。
【図４】本考案の風呂蓋を風呂に設置する前の斜視図である。
【図５】本考案の風呂蓋を風呂に設置した後の斜視図である。
【図６】本考案の風呂蓋を用いて風呂に入っている状態を示す断面図である。
【図７】特許文献１に開示された風呂蓋を示す概略図である。
【考案を実施するための形態】
【００１７】
以下において、図面を参照しながら本考案の好ましい実施形態の特徴及び構造を説明する。
【００１８】
＜実施形態１＞
図１は、本考案の風呂蓋の概略を示す斜視図であり、図２は、図１の風呂蓋を折り曲げた状態の斜視図であり、図３は、図１の風呂蓋の首開口部と手開口部とを開けた状態の斜視図であり、図４及び図５は、図１の風呂蓋を風呂に設置する前後の斜視図であり、図６は、本考案の風呂蓋を用いて風呂に入っている状態を示す断面図である。本実施形態の風呂蓋１は、図４及び図５に示されるように、風呂４の上部に配置されるものであって、風呂蓋１を風呂４の上部に設置した状態で、当該風呂４に入浴中の人が首を出せるように風呂蓋１の端部に設けられた首開口部２ａと、首開口部２を開閉可能に風呂蓋１に取り付けられた首開口蓋２とを有している。
【００１９】
（風呂蓋）
風呂蓋１は、断熱性を有する材質で構成されていることが好ましい。これにより風呂の外部の冷気が風呂のお湯に伝熱することを防ぐことができる。風呂蓋１は、風呂４の上部に設置したときに風呂４の上部を閉塞できる程度の大きさのものであれば、特に限定することなく用いることができる。図１においては、矩形状の風呂蓋１を開示しているが、風呂４の形状に応じて適宜変更可能である。例えば、風呂の上面形状が楕円形である場合には、風呂蓋１も上面視で楕円形とすることが好ましいし、風呂の上面形状がひょうたん型である場合には、風呂蓋１も上面視でひょうたん型とすることが好ましい。風呂蓋１の厚みは、断熱効果を発揮することができる程度であれば、特に限定することなく用いることができる。
【００２０】
風呂蓋１は、図２では上下交互に折り曲げる形状のものを採用しているが、このような形状のもののみに限られず、折り目が全くない１枚のシート状のものであってもよいし、中央のみを山折りできる形状のシートであってもよいし、蛇腹状に上下に折り曲げることができるものであってもよいし、丸め込めるシート状のものであってもよい。
【００２１】
（首開口部）
首開口部２ａは、風呂蓋１の端部に矩形状に切り取って設けられた部分であり、風呂蓋１に取り付けられた首開口蓋２によって開閉可能とされている。風呂蓋１を風呂４の上部に設置した状態でも、図６に示すように、この首開口部２ａを通じて首だけを風呂の外部に出すことができる。
【００２２】
首開口部２ａの大きさは、人間の首を通過できる程度を確保する必要がある。首開口部２ａの大きさがあまりに大きいと、入浴中に寝落ちしたときに風呂蓋１によって頭が支えられる効果を得られなくなるため、首の外形よりも大きく、かつ頭の外形よりも小さいことが好ましい。このような形状の首開口部２ａとすることで、風呂の湯が冷めることを効果的に防止することができる。首開口部２ａの形状は、図３に示すような矩形状のみに限られず、丸形状であってもよいし、楕円形状であってもよいし、三角形、五角形等の多角形であってもよい。取り扱いの簡便性や加工しやすさの観点からは図３に示す矩形状であることが好ましい。特に図３に示すように、首開口部２ａの上端に首開口蓋２の上端と接続していることで、首開口蓋２を上側に開くことができ、開いた状態の首開口蓋２を風呂蓋１の上部に配置することができる上に、首開口蓋２が開いた状態でも安定するという利点がある。
【００２３】
（首開口蓋）
首開口蓋２は、首開口部２ａを開閉可能に風呂蓋１に取り付けられたものである。本実施形態においては、首開口蓋２の一辺が首開口部２ａの上部の一辺に取り付けられており、この首開口蓋２の取り付けられた一辺を中心として首開口蓋２を回転できるようになっている。このように首開口蓋２を取り付けることにより、風呂に入ってから風呂蓋１を風呂の上に置くときに首開口蓋２のみを開けることができ、風呂蓋１を閉めた状態でも頭だけを風呂の外に出すことができる。風呂蓋１に対する首開口蓋２の取付方法は、このような形態のみに限られず、例えば、首開口蓋２ａが風呂蓋１に対してひも状のもので取り付けられていてもよいし、首開口部２ａに首開口蓋２を嵌め込んで固定されるものであってもよいし、首開口蓋２と風呂蓋１とが別体となっていてもよい。
【００２４】
（手開口部）
手開口部３ａは、風呂蓋１に取り付けられた手開口蓋３によって開閉可能とされており、この手開口部３ａを通じて風呂の内部から風呂蓋１の上側に手を出すことができる。手開口部３ａは、首開口部２ａよりも３０ｃｍ以上８０ｃｍ以下離れた位置の風呂蓋１の左右に１つずつ合計２つ設けられることが好ましく、この２つの手開口部３ａを結ぶ線分の垂直二等分線上に首開口部２ａが配置される位置関係となることがより好ましい。このような位置関係で手開口部３ａが配置されることにより、図６に示すように、左右それぞれ１つずつの手開口部３ａから手を出して入浴中に読書を楽しむことができる。もちろん、読書のみに限られず、スマートフォンのアプリを通じて提供されるゲームや編み物を楽しむことも可能である。
【００２５】
（手開口蓋）
手開口蓋３は、手開口部３ａを開閉可能に風呂蓋１に取り付けられたものであり、本実施形態においては、首開口蓋２と同様に、手開口蓋３の一辺が手開口部３ａの上部の一辺に取り付けられている。この手開口蓋３の取り付けられた一辺を中心として手開口蓋３を回転できるようになっている。このように手開口蓋３を風呂蓋１に取り付けることで、図６に示すように、風呂４に入りながらユーザー５が手を風呂蓋１の上部に出すことができ、風呂蓋１を土台として本６を読むことも可能となる。また、風呂蓋１の下部から風呂蓋１の上側に手を出さないときには手開口蓋３によって手開口部３ａを閉じることが好ましい。これにより風呂４の湯を冷めにくくすることができる。
【００２６】
上記説明は、本考案の好ましい実施形態を説明したものに過ぎず、本明細書及び実用新案登録請求の範囲に適用される他の均等な構造的変更についても本考案の範囲に含まれるものとする。
【符号の説明】
【００２７】
１，１１  風呂蓋
２    首開口蓋
２ａ  首開口部
３    手開口蓋
３ａ  手開口部
４    風呂
５    ユーザー
６    本
【図１】
0003223358.tif 000003
【図２】
0003223358.tif 000004
【図３】
0003223358.tif 000005
【図４】
0003223358.tif 000006
【図５】
0003223358.tif 000007
【図６】
0003223358.tif 000008
【図７】
0003223358.tif 000009